(57)【特許請求の範囲】
【請求項１】
ディスプレイに表示される各種画像情報によって各種情報を提供するようにした情報提供装置における表示画面の遷移状態を検査する画面遷移検査装置であって、
前記画像情報は、前記情報提供装置のディスプレイ制御装置内に格納された通常の使用時に前記ディスプレイに順次表示される表示用画像情報領域と前記表示用画像情報領域に隣接して前記表示用画像情報の内容を表す検査用画像情報領域とから構成され、
前記表示用画像情報領域であって、検査対象となる画像は、前記表示画面内全領域に亘って表示される大きさの領域に設定されることによって、前記画像情報は、前記表示画面内全領域よりも前記検査用画像情報領域で構成される表示領域だけ大きい画像からなり、
通常時には、前記表示用画像情報領域のみを前記ディスプレイの表示画面内全領域に亘って表示させ、前記画面遷移の検査時には、前記表示用画像情報領域及び前記検査用画像情報領域をシフトさせて、前記表示用画像情報領域の一部及び前記検査用画像情報領域を前記ディスプレイの表示画面に表示させる画面表示制御手段を備えることを特徴とする情報提供装置の画面遷移検査装置。
【請求項２】
上記検査用画像情報領域には、上記表示用画像情報を識別するビットパターンを表示させることを特徴とする請求項１に記載の情報提供装置の画面遷移検査装置。
【請求項３】
上記検査用画像情報領域には、検査時において画面遷移させるユーザの操作種別を表示させる操作種別領域及び画像遷移させる前の表示用画像情報を識別する情報を表示させることを特徴とする請求項１又は請求項２に記載の情報提供装置の画面遷移検査装置。
【請求項４】
上記情報提供装置は画像遷移プログラムを起動してディスプレイの画像遷移をし、上記画像遷移プログラムにて使用するレジスタ値及びスタック値を上記検査用画像情報領域に表示させることを特徴とする請求項１に記載の情報提供装置の画面遷移検査装置。
【請求項５】
ディスプレイに表示される各種画像情報によって各種情報を提供するようにした情報提供装置における表示画面の遷移状態を検査する画面遷移検査装置であって、
前記画像情報は、前記情報提供装置のディスプレイ制御装置内に格納された通常の使用時に前記ディスプレイに順次表示される表示用画像情報領域と前記表示用画像情報領域に隣接して前記表示用画像情報の内容を表す検査用画像情報領域とから構成され、
前記表示用画像情報領域であって、検査対象となる画像は、前記表示画面内全領域に亘って表示される大きさの領域に設定されることによって、前記画像情報は、前記表示画面内全領域よりも前記検査用画像情報領域で構成される表示領域だけ大きい画像からなり、
通常時には、前記表示用画像情報領域のみを前記ディスプレイの表示画面内全領域に亘って表示させ、前記画面遷移の検査時には、前記表示用画像情報領域及び前記検査用画像情報領域をシフトさせて、前記表示用画像情報領域の一部及び前記検査用画像情報領域を前記ディスプレイの表示画面に表示させる画面表示制御手段と、
前記ディスプレイに表示される画像情報を撮像する撮像手段と、
前記撮像手段で撮像した前記検査用画像情報領域に表示された内容に基づいて画面遷移の良否を判定する画面遷移良否判定手段とを備えることを特徴とする情報提供装置の画面遷移検査装置。
【請求項６】
ディスプレイに表示される各種画像情報によって各種情報を提供するようにした情報提供装置における表示画面の遷移状態を検査する画面遷移検査方法であって、
前記画像情報を、前記情報提供装置のディスプレイ制御装置内に格納された通常の使用時に前記ディスプレイに順次表示される表示用画像情報領域と前記表示用画像情報領域に隣接して前記表示用画像情報の内容を表す検査用画像情報領域とから構成し、
前記表示用画像情報領域であって、検査対象となる画像は、前記表示画面内全領域に亘って表示される大きさの領域に設定されることによって、前記画像情報は、前記表示画面内全領域よりも前記検査用画像情報領域で構成される表示領域だけ大きい画像からなり、
通常時には、前記表示用画像情報領域のみを前記ディスプレイの表示画面内全領域に亘って表示させ、前記画面遷移の検査時には、前記表示用画像情報領域及び前記検査用画像情報領域をシフトさせて、前記表示用画像情報領域の一部及び前記検査用画像情報領域を前記ディスプレイの表示画面に表示させることを特徴とする情報提供装置の画面遷移検査方法。
【請求項７】
上記検査用画像情報領域に、上記表示用画像情報を識別するビットパターンを表示させることを特徴とする請求項６に記載の情報提供装置の画面遷移検査方法。
【請求項８】
上記検査用画像情報領域に、検査時において画面遷移させるユーザの操作種別を表示させる操作種別領域及び画像遷移させる前の表示用画像情報を識別する情報を表示させることを特徴とする請求項６又は請求項７に記載の情報提供装置の画面遷移検査方法。
【請求項９】
情報提供装置により画像遷移プログラムを起動して、上記ディスプレイの画像遷移をするに際して、上記画像遷移プログラムにて使用するレジスタ値及びスタック値を上記検査用画像情報領域に表示させることを特徴とする請求項６に記載の情報提供装置の画面遷移検査方法。
【請求項１０】
ディスプレイに表示される各種画像情報によって各種情報を提供するようにした情報提供装置における表示画面の遷移状態を検査する画面遷移検査方法であって、
前記画像情報を、前記情報提供装置のディスプレイ制御装置内に格納された通常の使用時に前記ディスプレイに順次表示される表示用画像情報領域と前記表示用画像情報領域に隣接して前記表示用画像情報の内容を表す検査用画像情報領域とから構成し、
前記表示用画像情報領域であって、検査対象となる画像は、前記表示画面内全領域に亘って表示される大きさの領域に設定されることによって、前記画像情報は、前記表示画面内全領域よりも前記検査用画像情報領域で構成される表示領域だけ大きい画像からなり、
通常時には、前記表示用画像情報領域のみを前記ディスプレイの表示画面内全領域に亘って表示させ、前記画面遷移の検査時には、前記表示用画像情報領域及び前記検査用画像情報領域をシフトさせて、前記表示用画像情報領域の一部及び前記検査用画像情報領域を前記ディスプレイの表示画面に表示させ、
前記ディスプレイに表示された画像情報を撮像し、
撮像した前記検査用画像情報領域に表示された内容に基づいて画面遷移の良否を判定することを特徴とする情報提供装置の画面遷移検査方法。
【発明の詳細な説明】
【０００１】
【発明の属する技術分野】
本発明は、例えば生産した製品の検査工程において、情報提供装置で表示する画像を遷移させて画面遷移を検査する情報提供装置の画面遷移検査装置及び方法に関する。
【０００２】
【従来の技術】
従来より、生産した情報提供装置の表示内容を検査ライン上で撮像して表示して、情報提供装置の画面遷移を検査する検査システムが知られている。このような検査システムでは、多数の情報提供装置の検査を短時間にて行うために、情報提供装置の画面を順次遷移させ、撮像した画像を処理して検査をしていた。
【０００３】
このような従来の検査システムとしては、例えば特開平９−１６１０７９号公報にて開示されているように、撮像画像（検査画像）を２値化し、正常な製品を撮像した基準画像と検査画像とを比較することで製品の検査を行っていた。
【０００４】
【発明が解決しようとする課題】
しかしながら、従来の検査システムでは、基準画像との比較をするに際して検査画像を２値化する必要があり、撮像画像をリアルタイムで２値化するための画像処理装置が必要となってしまう。
【０００５】
また、従来の検査システムでは、検査画像を２値化する必要があるので、細かい画像色の違いを識別して検査をすることが困難であるという問題点がある。
【０００６】
更に、従来の検索システムでは、撮像画像をリアルタイムで２値化しているために、画像処理に時間を要して検査時間の短縮が困難であり、検査時間の短縮化が求められている生産現場の検査ラインへの適用が困難という問題点があった。
【０００７】
そこで、本発明は、上述した実情に鑑みて提案されたものであり、複雑な画像処理を行うことなく、情報提供装置の画像遷移を正確に検査することができる情報提供装置の画面遷移検査装置及び方法を提供するものである。
【０００８】
【課題を解決するための手段】
上述の課題を解決するために、請求項１に係る情報提供装置の画面遷移検査装置では、ディスプレイに表示される各種画像情報によって各種情報を提供するようにした情報提供装置における表示画面の遷移状態を検査する画面遷移検査装置であって、前記画像情報は、前記情報提供装置のディスプレイ制御装置内に格納された通常の使用時に前記ディスプレイに順次表示される表示用画像情報領域と前記表示用画像情報領域に隣接して前記表示用画像情報の内容を表す検査用画像情報領域とから構成され、前記表示用画像情報領域であって、検査対象となる画像は、前記表示画面内全領域に亘って表示される大きさの領域に設定されることによって、前記画像情報は、前記表示画面内全領域よりも前記検査用画像情報領域で構成される表示領域だけ大きい画像からなり、通常時には、前記表示用画像情報領域のみを前記ディスプレイの表示画面内全領域に亘って表示させ、前記画面遷移の検査時には、前記表示用画像情報領域及び前記検査用画像情報領域をシフトさせて、前記表示用画像情報領域の一部及び前記検査用画像情報領域を前記ディスプレイの表示画面に表示させる画面表示制御手段を備える。
【０００９】
請求項２に係る情報提供装置の画面遷移検査装置では、請求項１に係る情報提供装置の画面遷移検査装置であって、上記検査用画像情報領域には、上記表示用画像情報を識別するビットパターンを表示させることを特徴とする。
【００１０】
請求項３に係る情報提供装置の画面遷移検査装置では、請求項１又は請求項２に係る情報提供装置の画面遷移検査装置であって、上記検査用画像情報領域には、検査時において画面遷移させるユーザの操作種別を表示させる操作種別領域及び画像遷移させる前の表示用画像情報を識別する情報を表示させることを特徴とする。
【００１１】
請求項４に係る情報提供装置の画面遷移検査装置では、請求項１に係る情報提供装置の画面遷移検査装置であって、上記情報提供装置は画像遷移プログラムを起動してディスプレイの画像遷移をし、上記画像遷移プログラムにて使用するレジスタ値及びスタック値を上記検査用画像情報領域に表示させることを特徴とする。
【００１２】
上述の課題を解決するために、請求項５に係る情報提供装置の画面遷移検査装置では、ディスプレイに表示される各種画像情報によって各種情報を提供するようにした情報提供装置における表示画面の遷移状態を検査する画面遷移検査装置であって、前記画像情報は、前記情報提供装置のディスプレイ制御装置内に格納された通常の使用時に前記ディスプレイに順次表示される表示用画像情報領域と前記表示用画像情報領域に隣接して前記表示用画像情報の内容を表す検査用画像情報領域とから構成され、前記表示用画像情報領域であって、検査対象となる画像は、前記表示画面内全領域に亘って表示される大きさの領域に設定されることによって、前記画像情報は、前記表示画面内全領域よりも前記検査用画像情報領域で構成される表示領域だけ大きい画像からなり、通常時には、前記表示用画像情報領域のみを前記ディスプレイの表示画面内全領域に亘って表示させ、前記画面遷移の検査時には、前記表示用画像情報領域及び前記検査用画像情報領域をシフトさせて、前記表示用画像情報領域の一部及び前記検査用画像情報領域を前記ディスプレイの表示画面に表示させる画面表示制御手段と、前記ディスプレイに表示される画像情報を撮像する撮像手段と、前記撮像手段で撮像した前記検査用画像情報領域に表示された内容に基づいて画面遷移の良否を判定する画面遷移良否判定手段とを備える。
【００１３】
上述の課題を解決するために、請求項６に係る情報提供装置の画面遷移検査方法では、ディスプレイに表示される各種画像情報によって各種情報を提供するようにした情報提供装置における表示画面の遷移状態を検査する画面遷移検査方法であって、前記画像情報を、前記情報提供装置のディスプレイ制御装置内に格納された通常の使用時に前記ディスプレイに順次表示される表示用画像情報領域と前記表示用画像情報領域に隣接して前記表示用画像情報の内容を表す検査用画像情報領域とから構成し、前記表示用画像情報領域であって、検査対象となる画像は、前記表示画面内全領域に亘って表示される大きさの領域に設定されることによって、前記画像情報は、前記表示画面内全領域よりも前記検査用画像情報領域で構成される表示領域だけ大きい画像からなり、通常時には、前記表示用画像情報領域のみを前記ディスプレイの表示画面内全領域に亘って表示させ、前記画面遷移の検査時には、前記表示用画像情報領域及び前記検査用画像情報領域をシフトさせて、前記表示用画像情報領域の一部及び前記検査用画像情報領域を前記ディスプレイの表示画面に表示させる。
【００１４】
請求項７に係る情報提供装置の画面遷移検査方法では、請求項６に係る情報提供装置の画面遷移検査方法であって、上記検査用画像情報領域に、上記表示用画像情報を識別するビットパターンを表示させることを特徴とする。
【００１５】
請求項８に係る情報提供装置の画面遷移検査方法では、請求項６又は請求項７に係る情報提供装置の画面遷移検査方法であって、上記検査用画像情報領域に、検査時において画面遷移させるユーザの操作種別を表示させる操作種別領域及び画像遷移させる前の表示用画像情報を識別する情報を表示させることを特徴とする。
【００１６】
請求項９に係る情報提供装置の画面遷移検査方法では、請求項６に係る情報提供装置の画面遷移検査方法であって、情報提供装置により画像遷移プログラムを起動して、上記ディスプレイの画像遷移をするに際して、上記画像遷移プログラムにて使用するレジスタ値及びスタック値を上記検査用画像情報領域に表示させることを特徴とする。
【００１７】
請求項１０に係る情報提供装置の画面遷移検査方法では、ディスプレイに表示される各種画像情報によって各種情報を提供するようにした情報提供装置における表示画面の遷移状態を検査する画面遷移検査方法であって、前記画像情報を、前記情報提供装置のディスプレイ制御装置内に格納された通常の使用時に前記ディスプレイに順次表示される表示用画像情報領域と前記表示用画像情報領域に隣接して前記表示用画像情報の内容を表す検査用画像情報領域とから構成し、前記表示用画像情報領域であって、検査対象となる画像は、前記表示画面内全領域に亘って表示される大きさの領域に設定されることによって、前記画像情報は、前記表示画面内全領域よりも前記検査用画像情報領域で構成される表示領域だけ大きい画像からなり、通常時には、前記表示用画像情報領域のみを前記ディスプレイの表示画面内全領域に亘って表示させ、前記画面遷移の検査時には、前記表示用画像情報領域及び前記検査用画像情報領域をシフトさせて、前記表示用画像情報領域の一部及び前記検査用画像情報領域を前記ディスプレイの表示画面に表示させ、前記ディスプレイに表示された画像情報を撮像し、撮像した前記検査用画像情報領域に表示された内容に基づいて画面遷移の良否を判定することを特徴とする。
【００１８】
【発明の効果】
請求項１に係る情報提供装置の画面遷移検査装置によれば、画像情報を通常の使用時にディスプレイに順次表示される表示用画像情報領域と、表示用画像情報領域に隣接して表示用画像情報の内容を表す検査用画像情報領域とから構成し、画面遷移の検査時には検査用画像情報領域をディスプレイに表示させるので、画面遷移の検査をするときのみに表示領域をシフトさせて画像遷移の検査を行わせることができ、複雑な画像処理を行うことなく、情報提供装置の画像遷移を正確に検査することができる。
【００１９】
請求項２に係る情報提供装置の画面遷移検査装置によれば、検査用画像情報領域に表示用画像情報を識別するビットパターンを表示させるので、検査対象画像領域の検査対象画像の画像遷移を細かく検査する必要が無く、ビットパターンを比較するという簡単な処理で画像遷移の検査を行うことができる。
【００２０】
請求項３に係る情報提供装置の画面遷移検査装置によれば、検査用画像情報領域に検査時において画面遷移させるユーザの操作種別を表示させる操作種別領域及び画像遷移させる前の表示用画像情報を識別する情報を表示させるので、ユーザによりどのような操作されて、どの検査対象画像から現在の検査対象画像に画像遷移させたかを明確にユーザに提示することができ、画像遷移の検査をより簡単に行わせることができる。
【００２１】
請求項４に係る情報提供装置の画面遷移検査装置によれば、画像遷移プログラムにて使用するレジスタ値及びスタック値を検査用画像情報領域に表示させるので、画像遷移プログラムの状態をユーザに目視させて画像遷移プログラムの誤りを容易に発見させて容易にソフトデバックを行わせることができる。
【００２２】
請求項５に係る情報提供装置の画面遷移検査装置によれば、画像情報を情報提供装置のディスプレイ制御装置内に格納された通常の使用時にディスプレイに順次表示される表示用画像情報領域と表示用画像情報領域に隣接して表示用画像情報の内容を表す検査用画像情報領域とから構成し、画面遷移の検査時には検査用画像情報領域をディスプレイに表示させ、ディスプレイに表示される画像情報を撮像して画面遷移の良否を判定することができ、画面遷移の検査をするときのみに表示領域をシフトさせて画像遷移の検査を行わせることができ、複雑な画像処理を行うことなく、自動的に情報提供装置の画像遷移を正確に検査することができる。
【００２３】
請求項６に係る情報提供装置の画面遷移検査方法によれば、画像情報を情報提供装置のディスプレイ制御装置内に格納された通常の使用時にディスプレイに順次表示される表示用画像情報領域と表示用画像情報領域に隣接して表示用画像情報の内容を表す検査用画像情報領域とから構成し、画面遷移の検査時に、検査用画像情報領域をディスプレイに表示させるので、検査対象画像領域の検査対象画像の画像遷移を細かく検査する必要が無く、ビットパターンを比較するという簡単な処理で画像遷移の検査を行うことができる。
【００２４】
請求項７に係る情報提供装置の画面遷移検査方法によれば、検査用画像情報領域に、表示用画像情報を識別するビットパターンを表示させるので、検査対象画像領域の検査対象画像の画像遷移を細かく検査する必要が無く、ビットパターンを比較するという簡単な処理で画像遷移の検査を行うことができる。
【００２５】
請求項８に係る情報提供装置の画面遷移検査方法によれば、検査用画像情報領域に、検査時において画面遷移させるユーザの操作種別を表示させる操作種別領域及び画像遷移させる前の表示用画像情報を識別する情報を表示させるので、ユーザによりどのような操作されて、どの検査対象画像から現在の検査対象画像に画像遷移させたかを明確にユーザに提示することができ、画像遷移の検査をより簡単に行わせることができる。
【００２６】
請求項９に係る情報提供装置の画面遷移検査方法によれば、情報提供装置により画像遷移プログラムを起動して、ディスプレイの画像遷移をするに際して、画像遷移プログラムにて使用するレジスタ値及びスタック値を検査用画像情報領域に表示させるので、画像遷移プログラムの状態をユーザに目視させて画像遷移プログラムの誤りを容易に発見させて容易にソフトデバックを行わせることができる。
【００２７】
請求項１０に係る情報提供装置の画面遷移検査方法によれば、画像情報を情報提供装置のディスプレイ制御装置内に格納された通常の使用時にディスプレイに順次表示される表示用画像情報領域と表示用画像情報領域に隣接して表示用画像情報の内容を表す検査用画像情報領域とから構成し、画面遷移の検査時に、検査用画像情報領域をディスプレイに表示させ、ディスプレイに表示された画像情報を撮像し、撮像した検証画像情報領域に表示された内容に基づいて画面遷移の良否を判定するので、することができ、画面遷移の検査をするときのみに表示領域をシフトさせて画像遷移の検査を行わせることができ、複雑な画像処理を行うことなく、自動的に情報提供装置の画像遷移を正確に検査することができる。
【００２８】
【発明の実施の形態】
以下、本発明の実施の形態について図面を参照して説明する。
【００２９】
本発明は、例えば図１及び図２に示すように構成された画像遷移検査システムに適用される。
【００３０】
［画像遷移検査システムの構成］
この画像遷移検査システムは、図１に示すように、検査対象となる情報提供装置１、この情報提供装置１に表示された画像を撮像するＣＣＤ撮像装置２、ユーザに操作されるコントロールＰＣ３から構成されている。
【００３１】
情報提供装置１は、各種情報を表示する装置からなり、検査ライン上の検査対象となる。この情報提供装置１は、例えば車両に搭載されるナビゲーション装置からなり、車両運転者等に操作されてメニュー画面等を遷移させる。
【００３２】
この情報提供装置１は、図２に示すように、各種情報を表示するディスプレイ１１、このディスプレイ１１の表示内容を制御するディスプレイ制御部１２、ディスプレイ１１に表示する画像情報を記憶する画像記憶部１３、各種操作がなされる操作入力部１４、操作入力部１４の操作に応じて画像記憶部１３に記憶された表示用画像情報を読み出す画像読出部１５から構成されている。
【００３３】
ディスプレイ１１は、ディスプレイ制御部１２の制御に従って各種画像を表示することで、各種情報を提供する。このディスプレイ１１は、ディスプレイ制御部１２の制御信号に従って入力された画像情報の表示領域をシフトする。
【００３４】
ディスプレイ制御部１２は、コントロールＰＣ３の制御に従って、ディスプレイ１１の表示領域を制御する制御信号をディスプレイ１１に出力する。また、このディスプレイ制御部１２は、画像読出部１５からの表示用画像情報を入力してディスプレイ１１に出力する。
【００３５】
画像記憶部１３は、情報提供装置１の設計段階時において表示領域が設定された画像情報を複数記憶する。この画像記憶部１３は、例えば情報提供装置１により情報を提供するに際してのメニュー画面等を表す表示用画像情報を記憶している。
【００３６】
この画像記憶部１３に記憶されている画像情報は、実際にディスプレイ１１に表示するための表示用画像情報と、画面遷移検査時において表示される検査用画像情報とからなる。この検査用画像情報は、前画像履歴情報と、アクションキー情報及びプログラムスタック情報と、表示用画像情報を識別するための検査対象画像とを含む。この画像画像により表示される画像は、図３に示すように、現在の画像を表示する検査対象画像領域２１、検査対象画像領域２１に現在の検査対象画像に遷移する前の検査対象画像を識別するための情報を表示する遷移前画像情報履歴領域２２、現在画面に遷移させたときの操作入力部１４の操作内容を表示するアクションキー領域２３、ディスプレイ制御部１２の画像遷移プログラムにおけるレジスタ値及びスタック値を表示するレジスタ／スタック値領域２４、現在の表示画像を識別するための画像情報領域２５から構成されている。
【００３７】
操作入力部１４は、例えばボタンや方向キー等からなり、情報提供装置１の出荷後にユーザにより操作される。この操作入力部１４は、ディスプレイ１１に各種情報を表示させると共に、情報提供装置１を動作させる操作入力信号を生成する。
【００３８】
画像読出部１５は、操作入力部１４からの操作入力信号を入力し、操作入力部１４の操作内容を認識する。この画像読出部１５は、ディスプレイ１１の表示画面を遷移させることを認識すると、画像記憶部１３から画像情報を読み出してディスプレイ制御部１２に出力する。この画像読出部１５は、操作入力信号に従って画像情報を読み出してディスプレイ制御部１２に出力する画像遷移プログラムを格納し、情報提供装置１の起動時において画像遷移プログラムに従った処理をする。この画像読出部１５は、画像遷移プログラムを実行するに際してレジスタ値及びスタック値を保持している。
【００３９】
このような情報提供装置１は、出荷後の使用時に操作入力部１４の操作に従ってディスプレイ１１の表示画面を遷移させる通常動作モードと、ディスプレイ１１の画面遷移を検査する画面遷移検査モードとの間でディスプレイ制御部１２の動作モードが切り替えられる。この情報提供装置１は、出荷前の検査工程時において、コントロールＰＣ３からの制御信号をディスプレイ制御部１２で入力することで動作モードが切り替えられる。
【００４０】
ディスプレイ制御部１２は、通常動作モードにおいて検査対象画像領域２１のみをディスプレイ１１に表示させる。そして、コントロールＰＣ３により画面遷移検査モードに遷移すると、遷移前画像情報履歴領域２２、アクションキー領域２３、レジスタ／スタック値領域２４及び画像情報領域２５を表示させるように表示画面をシフトさせる。これにより、遷移前画像情報履歴領域２２、アクションキー領域２３、レジスタ／スタック値領域２４及び画像情報領域２５は、画面遷移検査モードのみにおいて表示される検査用画像情報領域となり、ＣＣＤ撮像装置２は表示用画像情報領域となる。
【００４１】
検査対象画像領域２１は、情報提供装置１の画面内全領域に亘って表示される大きさの領域に設定され、遷移前画像情報履歴領域２２、アクションキー領域２３、レジスタ／スタック値領域２４及び画像情報領域２５は、情報提供装置１の画面内下部領域に表示されるように設定されている。すなわち、画像情報は、情報提供装置１の画面内全領域よりも遷移前画像情報履歴領域２２、アクションキー領域２３、レジスタ／スタック値領域２４及び画像情報領域２５で構成される表示領域だけ大きい画像からなる。ＣＣＤ撮像装置２は、少なくとも画像情報領域２５を撮像する位置に配設されている。
【００４２】
また、遷移前画像情報履歴領域２２、アクションキー領域２３、レジスタ／スタック値領域２４及び画像情報領域２５で構成される領域は、メインＣＰＵ３４による制御信号に従って画面内縦方向にシフトされる縦方向長さに設定されている。
【００４３】
ＣＣＤ撮像装置２は、ＣＣＤ（Charge Coupled Device）撮像素子を備え、情報提供装置１に表示された所定の領域を撮像し、この所定の領域に含まれる画像情報を撮像信号としてコントロールＰＣ３に出力する。
【００４４】
コントロールＰＣ３は、情報提供装置１及びＣＣＤ撮像装置２と接続された入出力部３１、各種情報を記憶する記憶部３２、ユーザに操作される操作入力部３３、各種処理を行うメインＣＰＵ（Central Processing Unit）３４、ＰＣ表示部３５を備えて構成されている。
【００４５】
操作入力部３３は、例えばキーボードやマウス等の操作機構を備え、操作機構が操作されたことによる操作入力信号を生成してメインＣＰＵ３４に出力する。
【００４６】
入出力部３１は、コントロールＰＣ３の外部に対するインターフェースとして機能する。入出力部３１は、メインＣＰＵ３４からの制御信号を入力すると情報提供装置１に出力すると共に、ＣＣＤ撮像装置２からの撮像信号を入力するとメインＣＰＵ３４に出力する。
【００４７】
記憶部３２は、メインＣＰＵ３４により各種処理を行うときの作業領域として機能する。
【００４８】
ＰＣ用表示部１５は、メインＣＰＵ３４からの画像情報を表示するディスプレイからなる。ＰＣ用表示部１５は、コントロールＰＣ３により情報提供装置１の画像遷移検査を行うに際して、ユーザにその検査結果等を提示する。
【００４９】
メインＣＰＵ３４は、操作入力部３３が操作されることにより、画像遷移検査システムの起動をする。このメインＣＰＵ３４は、操作入力部３３からの操作入力信号により画面遷移検査を行うことが指示されると、図３に示した画面表示をシフトさせる制御信号を作成して、入出力部３１を介して情報提供装置１に送信する。すなわち、このメインＣＰＵ３４は、ユーザの指示により情報提供装置１の動作モードを切り替える。
【００５０】
メインＣＰＵ３４は、図３に示すように、情報提供装置１に通常使用領域を表示させている状態から、検査対象画像領域２１の一部と、遷移前画像情報履歴領域２２、アクションキー領域２３、レジスタ／スタック値領域２４及び画像情報領域２５とを含む検査用画像情報領域を表示させるように情報提供装置１を制御する。
【００５１】
これにより、情報提供装置１は、図４（ａ）に示すように表示領域に検査対象画像領域２１のみを表示している状態から、図４（ｂ）に示すように表示画面をシフトして表示領域を検査時使用領域にして、遷移前画像情報履歴領域２２、アクションキー領域２３、レジスタ／スタック値領域２４及び画像情報領域２５を表示する。図４（ｂ）によれば、情報提供装置１は、検査対象画像領域２１に「画像Ａ」を表示すると共に、画像情報領域２５に「画像Ａ」と識別するビットパターンを表示している。
【００５２】
図４（ｂ）に示す検査時使用領域にて画面表示をしているときに、例えば「画像Ａ」から「画像Ｂ」に遷移させるアクションキー「Ｑ」を操作した操作入力信号を操作入力部１４から入力したときには、画像読出部１５は、画像Ｂに該当する画像情報を読み出してディスプレイ制御部１２に出力する。これにより、ディスプレイ制御部１２は、制御信号に従って検査対象画像領域２１の表示内容を遷移させる。
【００５３】
これにより、ディスプレイ制御部１２は、図４（ｃ）に示すように、「画像Ｂ」を含む検査対象画像領域２１、画像Ａと識別するビットパターンを含む遷移前画像情報履歴領域２２、アクションキー「Ｑ」を含むアクションキー領域２３、画像Ｂを識別するビットパターンを含む画像情報領域２５を表示するための表示用画像情報をディスプレイ１１に出力する。
【００５４】
この状態において、メインＣＰＵ３４は、ＣＣＤ撮像装置２からの撮像信号を入力する。メインＣＰＵ３４は、ＣＣＤ撮像装置２から入力した撮像信号の画像と、記憶部３２に記憶された基準画像とを比較して、情報提供装置１の画像遷移が正常に行われたか否かを判定する。これにより、メインＣＰＵ３４は、情報提供装置１の画像遷移の正常／異常を判定する。
【００５５】
このような画面遷移検査を行う画像遷移検査システムの処理を図５に示すフローチャートのを参照して説明する。
【００５６】
図５によれば、先ず、コントロールＰＣ３からディスプレイ制御部１２に入力される制御信号により、情報提供装置１の画像遷移を検査するモードとなる（ステップＳ１）。このとき、メインＣＰＵ３４は、表示領域をシフトさせる制御信号を情報提供装置１に出力する。これにより、ディスプレイ制御部１２は、図４（ａ）に示す状態から図４（ｂ）に示す状態に画面を切り替え、遷移前画像情報履歴領域２２、アクションキー領域２３、レジスタ／スタック値領域２４及び画像情報領域２５を表示させて、ユーザに表示している画像情報を確認させる（ステップＳ２）。
【００５７】
次に、画像読出部１５が操作されて、アクションキーを操作したことを示す操作入力信号を操作入力部１４により入力すると（ステップＳ３）、画像読出部１５によりアクションキーに対応した画像情報を画像記憶部１３から読み出して、画像を遷移させる制御信号と共にディスプレイ制御部１２に出力して画像遷移させる。
【００５８】
そして、メインＣＰＵ３４は、ＣＣＤ撮像装置２からの撮像信号を入力して、記憶部３２に記憶された情報とＣＣＤ撮像装置２により撮像された画像とを比較することで、情報提供装置１にて表示している画像情報より画像遷移が正常になされたか否かを判定する（ステップＳ４）。
【００５９】
メインＣＰＵ３４により正常に画像情報の遷移がなされたと判定したときには、検査対象画像領域２１に表示されている検査対象画像も正常に遷移したと認識し（ステップＳ５）、メインＣＰＵ３４により正常に画像情報の遷移がなされておらず、異常であると判定したときには検査対象画像領域２１に表示されている検査対象画像の遷移が異常であると認識する（ステップＳ６）。
【００６０】
次に、メインＣＰＵ３４は検査を続行するか否かを判定し（ステップＳ７）、検査を続行するときにはステップＳ２に処理を戻し、続行しないときには検査を終了する。
【００６１】
このような画像遷移検査システムによれば、検査対象画像領域２１と共に検査対象画像領域２１に表示している検査対象画像を識別する画像情報領域２５等も含む画像情報を設計段階時に画像記憶部１３に記憶しておくので、画面遷移の検査をするときのみに表示画面をシフトさせてＣＣＤ撮像装置２により読みとることができ、複雑な画像処理を行う必要が無く、簡単に画面遷移の検査を正確にすることができる。
【００６２】
すなわち、画像遷移検査システムによれば、画像遷移の検査時にのみ遷移前画像情報履歴領域２２〜画像情報領域２５を表示させるので、検査対象画像領域２１の検査対象画像を加工することなく、簡単に画像遷移の検査を行うことができる。
【００６３】
また、この画像遷移検査システムによれば、画像情報領域２５に表示する画像情報をビットパターンで表現したので、検査対象画像領域２１の検査対象画像の画像遷移を細かく検査する必要が無く、ビットパターンを比較するという簡単な処理で画像遷移の検査を行うことができる。
【００６４】
更にまた、この画像遷移検査システムによれば、画像遷移の検査時に遷移前画像情報履歴領域２２及びアクションキー領域２３を表示するようにしたので、ユーザによりどのアクションキーが操作されて、どの検査対象画像から現在の検査対象画像に画像遷移させたかを明確にすることができ、画像遷移の検査をより簡単に行わせることができる。
【００６５】
更にまた、この画像遷移検査システムによれば、画像読出部１５により起動する画像遷移プログラムにて保持しているレジスタ値やスタック値等をレジスタ／スタック値領域２４に格納して表示するようにしたので、画像遷移プログラムの状態をユーザに目視させ、容易にソフトデバックを行わせることができる。すなわち、コントロールＰＣ３により画像遷移の異常を検出したときのレジスタ／スタック値領域２４を参照することで、誤りが発生しているレジスタ値やスタック値を参照させることができる。
【００６６】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００６７】
すなわち、上述した一例では、画像情報領域２５にバーコード等のビットパターンを表示させてコントロールＰＣ３により自動的に画面遷移検査を行うように構成したが、これに限らず、検査対象画像領域２１の内容を識別するような文字等を画像情報領域２５に表示させても良い。これにより、検査対象画像領域２１の画面遷移が正確に行われたことをユーザが目視するのみで画像遷移検査を行うことができる。
【００６８】
また、上述した一例では、検査ライン上に存在する情報提供装置１の画面遷移を検査する場合について説明したが、これに限らず、例えばディーラ等の行う検査において、画面遷移検査時において、コントロールＰＣ３を情報提供装置１に接続して画面遷移を検査する場合であっても適用可能である。この場合、画像情報領域２５の内容を文字等で表現することにより、メインＣＰＵ３４のように自動検査する処理を行わずに簡単にディーラ等に検査をさせることができる。
【図面の簡単な説明】
【図１】本発明を適用した画像遷移検査システムのシステム構成を示すブロック図である。
【図２】本発明を適用したコントロールＰＣの機能的構成を示すブロック図である。
【図３】検査対象ディスプレイに表示する表示領域について説明するための図である。
【図４】コントロールＰＣの制御に従って画像遷移させることを説明するための図である。
【図５】メインＣＰＵにより検査対象ディスプレイの画像遷移の正常／異常を検査するときの処理手順を示すフローチャートである。
【符号の説明】
１  情報提供装置
２  ＣＣＤ撮像装置
３  コントロールＰＣ
１１  ディスプレイ
１２  ディスプレイ制御部
１３  画像記憶部
１４  操作入力部
１５  画像読出部
２１  検査対象画像領域
２２  遷移前画像情報履歴領域
２３  アクションキー領域
２４  レジスタ／スタック値領域
２５  画像情報領域
３１  入出力部
３２  記憶部
３３  操作入力部
３４  メインＣＰＵ
３５  ＰＣ表示部
【図１】
0003931669.tif 000002
【図２】
0003931669.tif 000003
【図３】
0003931669.tif 000004
【図４】
0003931669.tif 000005
【図５】
0003931669.tif 000006